(57)【特許請求の範囲】
【請求項１】
収納物を収納する容器本体の開口部に嵌合されて、当該容器本体の覆蓋を行うために、合成樹脂シートにより一体成形される蓋体であって、
この蓋体を、その上面に互いに対向しながら膨出形成した少なくとも２つの膨出部と、これら各膨出部の周囲に膨出成形したブロッキング防止用の突起と、前記膨出部の上面より低いあい路形成部と、これら各あい路形成部の各対向部分に一体的に形成されてフォークを係止する係合凹所とを有したものとするとともに、
この係合凹所の前記蓋体の上面からの高さを、突起の高さと略同一かそれ以下にしたことを特徴とする包装用容器の蓋体。
【発明の詳細な説明】
【０００１】
【発明の属する技術分野】
本発明は、刻まれた野菜サラダ、調理されたソバやウドン等を収納するための容器を構成する蓋体に関し、特に、合成樹脂製のナイフやフォーク等を一体化することのできる蓋体に関するものである。
【０００２】
【従来の技術】
近年においては、野菜サラダ等を包装用容器に詰めて、これをそのまま家庭等に持ち帰って食することが一般的に行われている。また、このようにして使用される包装用容器は、合成樹脂製のシート材から、一体的かつ衛生的なものとして大量生産され、種々な形状のものが提案されてきている。
【０００３】
また、この種の包装用容器においては、特開平６−２５５６６５号公報の従来の技術の項にも記載されているように、その蓋体側にフォークやスプーン等を一体的にするようにすることが行われているものであり、例えば蓋体の内側壁面上方の相対向する箇所を凹凸状に形成してスプーン係止部を設けるようにすることが行われている。
そして、上記特開平６−２５５６６５号公報にて提案されている発明は、
「係止片が弾性変形することによりスプーンの着脱が容易で、かつ安定して保持できるスプーン係止構造が、蓋本体の形状に何等影響を与えることなく備えられている容器蓋を提供すること」を目的として、
「少なくとも蓋本体の任意位置に設けた一対の係止部にてスプーン構造が構成され、上記一対の係止部のうちの一方あるいは両方が、隣接間に所望なスリットを設けて形成した複数の弾性係止片にて構成」したものである。
【０００４】
しかしながら、スプーンを係止するために「スリット」を形成することは、収納物が食品であることから好ましいこととは言えず、また、このスリットを型形成するようにすることには型製作上も問題があるものである。
【０００５】
さらに、上記特開平６−２５５６６５号公報にて提案されている発明も、同公報中の従来技術の項に示されている発明も全く問題にはしていないが、この種の包装用容器を実際に使用していく場合に生ずる問題としてあるのが、所謂「ブロッキング」である。ブロッキングとは、同じ容器本体や蓋体を多数積み重ねたときに、互い同志が同じ形状であるため重なり合ってしまうことである。
【０００６】
このブロッキングを回避するために、通常は蓋体等の一部に膨出突起を形成するようにするとともに、これらの膨出突起を各蓋体毎に場所を変えるようにしている。そして、これらの膨出突起は、蓋体等を多数積み重ねたときに、ブロッキング防止に必要な空間以上の無駄な空間を形成しないようにするために、その高さをなるべく低くするようにして形成される。従って、もしこの膨出突起の高さを無視してフォークやスプーン等の係止のための係合突起を形成したとすると、折角の膨出突起が何等の意味もなさないことになる場合が生じ、フォーク等の係止が行えなくなることもある。
【０００７】
【発明が解決しようとする課題】
本発明は、以上の実状に鑑みてなされたもので、その目的とするところは、包装用容器を構成する蓋体であって、これにフォーク等を一体化するようにしたものについて、そのフォーク等の係止をブロッキング防止用の膨出突起の機能に影響を与えないように行うことである。
【０００８】
すなわち、本発明の目的とするところは、フォーク等の係止を簡単かつ確実に行えることは当然として、ブロッキング防止用の突起の機能に悪影響を与えないようにすることのできる包装用容器のための蓋体を提供することにある。
【０００９】
【課題を解決するための手段】
以上の課題を解決するために、本発明の採った手段は、以下で説明する実施形態中において使用する符号を付して説明すると、
「収納物を収納する容器本体の開口部に嵌合されて、当該容器本体の覆蓋を行うために、合成樹脂シートにより一体成形される蓋体１０であって、
この蓋体１０を、その上面に互いに対向しながら膨出形成した少なくとも２つの膨出部１１と、これら各膨出部１１の周囲に膨出成形したブロッキング防止用の突起１２と、膨出部１１の上面より低いあい路形成部１３と、これら各あい路形成部１３の各対向部分に一体的に形成されてフォーク２０を係止する係合凹所１４とを有したものとするとともに、
この係合凹所１４の蓋体１０の上面からの高さを、突起１２の高さと略同一かそれ以下にしたことを特徴とする包装用容器の蓋体１０」
である。
【００１０】
すなわち、本発明に係る蓋体１０は、合成樹脂シートによって一体成形されるものであり、互いに対向すべく形成した少なくとも２つの膨出部１１の対向面にあい路形成部１３を膨出形成しておいて、これら各あい路形成部１３の先端部に形成した各係合凹所１４によりフォーク２０を係止するようにしたものである。そして、この蓋体１０は、その係合凹所１４の蓋体１０の上面からの高さを、ブロッキング防止のために形成してある各突起１２と略同一にするか、それ以下にしたものである。
【００１１】
この蓋体１０を以上のように形成することによって、各あい路形成部１３の先端部に形成した一対の係合凹所１４によって、図３にも示すように、フォーク２０の特に柄の支持が行われるのであり、これにより、フォーク２０の当該蓋体１０に対する一体化が簡単に行えるのである。このフォーク２０の各係合凹所１４に対する係合は、次の２通りの方法によって行えるものである。
【００１２】
第１の係合方法は、図１にも示すように、各あい路形成部１３間にフォーク２０の柄を上方から強制的に押し込む方法である。当該蓋体１０は、合成樹脂シートにより一体成形したものであるから、各あい路形成部１３は係合を強制的に行える程度の十分な可撓性を有しており、しかも各係合凹所１４が元に戻るに十分な弾力性を有しているから、フォーク２０の各あい路形成部１３間への強制嵌合が簡単に行えるとともに、各あい路形成部１３とフォーク２０との係合状態が十分に維持されるのである。
【００１３】
第２の係合方法は、フォーク２０の先端を蓋体１０の上面上を滑らせて各あい路形成部１３間に挿入する方法である。この方法では、フォーク２０を取り付けるべき場所が図１に示したように、両膨出部１１によって明瞭になっているとともに、各あい路形成部１３によって文字通り「あい路」が形成されているから、フォーク２０の係止のためのあい路形成部１３間への挿通を簡単に行うことができ、かつ、各あい路形成部１３の先端に無理な力を加えることもなく円滑に行うことができるものである。
【００１４】
なお、この第２の方法を採用するにあたって、実施形態蓋体１０では、各あい路形成部１３の側面を円弧状に形成してあるから、このあい路形成部１３の側面自体がフォーク２０の案内面となり、フォーク２０の各係合凹所１４間での係止作業を無理なく行うことができるものである。勿論、このフォーク２０を蓋体１０から取り外すには、前述したのとは逆の操作を行えばよいことは言うまでもない。
【００１５】
ところで、この蓋体１０は、図示しない容器本体の開口部に嵌合される前は、例えば図２に示すようにして、多数のものを重ねておかれる、つまりスタッキングされるのであるが、その場合のブロッキング防止のために、複数の突起１２を有しているのであり、これらの突起１２によって、各蓋体１０が所定間隔、間を隔てた状態でスタッキングされるようになっている。このとき、もし、係合凹所１４が突起１２の後面より高い位置に形成されていたとすると、各突起１２の存在は全く無価値になってしまうだけでなく、各突起１２の高さによって、スタッキング時の各蓋体１０間のデッドスペースを最小となるように設定されていたのに、突起１２の頂面より高い位置に形成された係合凹所１４によって、各蓋体１０間に大きなデッドスペースが形成されてしまうことになる。
【００１６】
その点、本発明の蓋体１０においては、各係合凹所１４の高さを突起１２のそれと略同じかそれ以下となるようにしてあるため、多数の蓋体１０をスタッキングするときのデッドスペースの発生を抑えることができるのである。従って、この蓋体１０を多数まとめて梱包する場合に、その作業を確実に行うことができるだけでなく、梱包のための袋や箱の容積を小さくすることができるのである。
【００１７】
特に、本発明の蓋体１０においては、あい路形成部１３の上面を係合凹所１４側に至る傾斜面１３ａとしているので、図４に示したように、上側の蓋体１０の各あい路形成部１３間に位置する部分の端部を、下側の蓋体１０を構成しているあい路形成部１３の傾斜面１３ａ上に当接させることができるから、スタッキング時におけるデッドスペースの発生を極力抑えることができるものとなっているのである。
【００１８】
【発明の実施の形態】
以上のように構成した本発明を、図面に示した実施の形態である蓋体１０について詳述すると、次の通りである。なお、この蓋体１０は図示しない容器本体の開口部を覆蓋するものであり、この容器本体とともに包装用容器を構成するものである。容器本体は、本発明に係る蓋体１０が嵌合されるであること以外は、本発明に特に関係するものではなく、種々な形状・材料のものが採用されるものである。
【００１９】
さて、本発明に係る蓋体１０は、合成樹脂シートに対して圧空成形または真空成形を施すことにより一体的に形成されるものであり、容器本体内に収納した野菜サラダ等が外からよく見えるようにするために、透明または半透明の合成樹脂シートを使用して形成されるものである。なお、本実施形態に係る蓋体１０は、図示しない容器本体の開口部に対して、所謂「外嵌合」されるものであり、外嵌合されたときの容器本体に対する係合を行うために、図１及び図２等において示したように、複数の係合部１５を形成したものである。
【００２０】
この蓋体１０は、図１において明瞭に示したように、その上面の一部を上方に膨出させることにより形成した膨出部１１を少なくとも２個有しているものである。これら各膨出部１１は、当該蓋体１０を使用する包装用容器の容積を一定量増大するものでもあり、かつフォーク２０の収納空間を形成するものである。なお、実施形態の蓋体１０では、図１にも示したように、これらの膨出部１１を２つだけ形成しているが、これらの膨出部１１の数をさらに増加して実施してもよい。
【００２１】
各膨出部１１の対向する部分以外の周囲には、図２に示したように、複数の突起１２が形成してある。各突起１２は、膨出部１１の一部を外側へ部分的に膨出させることにより形成したものであるが、本実施形態では、各膨出部１１の高さの半分程度の高さのものとして形成してある。なお、この種の蓋体１０は、一枚の合成樹脂シートから所謂多数個取りされるものであり、１つの蓋体１０について図２中の実線に示した位置に各突起１２を形成しておき、これに隣接する別の蓋体１０については、図２中の２点鎖線にて示した位置に各突起１２を形成するように実施される。これにより、一枚の合成樹脂シートから同時に成形・切り出された蓋体１０をそのままスタックしたとき、各蓋体１０の突起１２が同一位置となるのを避けるようにしている。
【００２２】
これに対して、各膨出部１１の対向する部分には、図１及び図２に示したように、先端部が互いに対向するあい路形成部１３が膨出成形してある。すなわち、各あい路形成部１３と膨出部１１とは、内側で同一空間を形成しているものであり、本実施形態のあい路形成部１３では、図２に示したように、半月状のものとして、つまり外周が円弧状となるものとして形成してある。このあい路形成部１３の上面は、各膨出部１１の上面に連続はするが、膨出部１１側から先端部にかけて傾斜する傾斜面１３ａとしてある。
【００２３】
なお、各あい路形成部１３の先端部の形状としては、膨出部１１側から先端にかけて、例えば階段のような形状となるようにして実施してもよく、その形状・高さが、各突起１２の高さと略同一かそれ以下になるのであれば、傾斜面１３ａとする必要はないものである。
【００２４】
このあい路形成部１３の傾斜面１３ａは、図３及び図４に示したように、その先端部、すなわち一番低くなる部分が、前述した各突起１２の上端面と略一致するか、あるいはこれより低くなるようにしてある。これにより、図４に示したように、各突起１２の上端水平面Ｓより下方に、あい路形成部１３における傾斜面１３ａの先端が位置することになるのであり、この上に他の蓋体１０を重ねたとき（スタック時）、この重ねられた上側の蓋体１０における各あい路形成部１３の傾斜面１３ａの下面が、当該下側の蓋体１０における各あい路形成部１３の傾斜面１３ａ上に載置されることになるのである。換言すれば、この蓋体１０は、その各突起１２によってスタック高さを規定するようにしているのであるが、その高さ規定は、あい路形成部１３及びその先端に形成した係合凹所１４の存在によって阻害されることがないのである。
【００２５】
各係合凹所１４は、図１等において示したように、各あい路形成部１３の互いに対向する部分に、所謂「アンダーカット部」として一体的に成形したものである。つまり、この係合凹所１４は、当該蓋体１０を容器本体に嵌合係止する際に一般的に採用されている凹所として合成樹脂シートを型成形することにより形成したものであり、部分的なものである。勿論、この係合凹所１４は、図１に示した合成樹脂製のフォーク２０、あるいはこれとその袋を同時に係止するためのものであるから、それに応じた形状・大きさのものとして形成してあるが、その水平方向の長さについては、各あい路形成部１３が円弧状のものとして形成した結果、フォーク２０の係止が行える程度に短いものとしてある。
【００２６】
なお、本実施形態の蓋体１０では、図１及び図２に示したように、上記係合凹所１４と同様な方法によって形成した係合部１５が外周フランジ部に複数形成してあり、これら各係合部１５によって、図示しない容器本体の開口部に当該蓋体１０それ自体を係合させるようにしてある。また、この係合部１５による容器本体との係合解除を行い易くするために、当該蓋体１０の外周の一部には指掛部１６が形成してある。
【００２７】
【発明の効果】
以上、詳述した通り、本発明においては、上記実施形態にて例示した如く、
「収納物を収納する容器本体の開口部に嵌合されて、当該容器本体の覆蓋を行うために、合成樹脂シートにより一体成形される蓋体１０であって、
この蓋体１０を、その上面に互いに対向しながら膨出形成した少なくとも２つの膨出部１１と、これら各膨出部１１の周囲に膨出成形したブロッキング防止用の突起１２と、膨出部１１の上面より低いあい路形成部１３と、これら各あい路形成部１３の各対向部分に一体的に形成されてフォーク２０を係止する係合凹所１４とを有したものとするとともに、
この係合凹所１４の蓋体１０の上面からの高さを、突起１２の高さと略同一かそれ以下にしたこと」
にその構成上の特徴があり、これにより、フォーク等の係止を簡単かつ確実に行えることは当然として、ブロッキング防止用の突起の機能に悪影響を与えないようにすることができるのである。
【００２８】
すなわち、本発明の蓋体１０によれば、主として次のような効果を発揮することができる。
▲１▼  蓋体１０の上面に互いに対向するあい路形成部１３を形成して、その各先端部に係合凹所１４を形成したので、各あい路形成部１３を案内部としながら、フォーク２０の係合凹所１４に対する係止を容易かつ確実に行うことができる。
▲２▼  当該蓋体１０を複数積み重ねる、つまりスタッキングするに際して、各蓋体１０を不必要に浮き上がらせることなくブロッキング防止を行うことができる。
▲３▼  各あい路形成部１３を円弧状に形成してその先端部に係合凹所１４を形成したから、これら係合凹所１４に対するフォーク２０の係止を、蓋体１０の各あい路形成部１３間に対するフォーク２０のスライドによっても行なうことができる。
▲４▼  当該蓋体１０は合成樹脂シートによって一体成形したものであり、各あい路形成部１３及び係合凹所１４が上述した形状のものであるから、各係合凹所１４の弾性による復元性やフォーク２０の離脱性が非常によい。
【図面の簡単な説明】
【図１】  本発明に係る蓋体にフォークを取付けようとしている状態を示した斜視図である。
【図２】  同蓋体の平面図である。
【図３】  図２の１−１線に沿ってみた拡大断面図である。
【図４】  ２つの蓋体をスタックしたときの各あい路形成部における状態を示した部分断面図である。
【符号の説明】
１０      蓋体
１１      膨出部
１２      突起
１３      あい路形成部
１３ａ    傾斜面
１４      係合凹所
１５      係合部
１６      指掛部
２０      フォーク
【図１】
0003639975.tif 000002
【図２】
0003639975.tif 000003
【図３】
0003639975.tif 000004
【図４】
0003639975.tif 000005